(57)【要約】【課題】通信モジュールの交換時において、管理対象の情報の設定の人為的なミスを削減する。【解決手段】モジュール交換制御手段１ａにより、フラグ記憶手段１ｂ１に記憶されているフラグがチェックされる。フラグが通信モジュール１ｂの設定を示す場合には、モジュール交換制御手段１ａにより、通信手段１ｂ２により設定情報が送信され、通信手段１ｂ２によって受信された設定情報の送信に対して管理サーバ２から送信された応答に基づいて、フラグに通信モジュール１ｂの設定の不実行が設定される。【選択図】図１
2010258936.tif 000002
【特許請求の範囲】
【請求項１】
交換可能な通信モジュールを有する情報処理装置において、
前記通信モジュールは、
前記通信モジュールの設定と、前記通信モジュールの設定の不実行とのうちのいずれか一方を示すフラグを記憶するフラグ記憶手段と、
前記情報処理装置と前記通信モジュールとを管理する管理サーバと通信を行う通信手段とを有し、
前記通信モジュールの交換に基づいて前記管理サーバに設定される設定情報を記憶する設定情報記憶手段と、
前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定するモジュール交換制御手段とを有することを特徴とする情報処理装置。
【請求項２】
前記情報処理装置の起動を制御する起動制御手段を有し、
前記フラグ記憶手段に記憶されている前記フラグは、前記通信モジュールの設定と、前記情報処理装置の起動許可とのうちのいずれか一方を示し、
前記モジュール交換制御手段は、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記情報処理装置の起動許可を設定し、一方、前記フラグが前記情報処理装置の起動許可を示す場合には、前記起動制御手段に前記情報処理装置の起動を行わせることを特徴とする請求項１記載の情報処理装置。
【請求項３】
前記情報処理装置の起動を制御する起動制御手段を有し、
前記モジュール交換制御手段は、前記起動制御手段によって前記情報処理装置の起動が開始されたときに、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させることを特徴とする請求項１記載の情報処理装置。
【請求項４】
前記モジュール交換制御手段は、前記通信手段によって前記応答が受信されたか否かを判定し、
前記起動制御手段は、前記モジュール交換制御手段による判定の結果、前記設定情報が送信されてから所定時間が経過した後に、前記通信手段によって前記応答が受信されていない場合には、前記情報処理装置の起動を中止することを特徴とする請求項３記載の情報処理装置。
【請求項５】
前記フラグ記憶手段に記憶されている前記フラグは、初期状態では前記通信モジュールの設定を示すことを特徴とする請求項１記載の情報処理装置。
【請求項６】
管理サーバによって、情報処理装置が有する交換可能な通信モジュールを管理する管理システムにおいて、
前記情報処理装置は、前記通信モジュールと、設定情報記憶手段と、モジュール交換制御手段とを有し、
前記通信モジュールは、
前記通信モジュールの設定と、前記通信モジュールの設定の不実行とのうちのいずれか一方を示すフラグを記憶するフラグ記憶手段と、
前記情報処理装置と前記通信モジュールとを管理する管理サーバと通信を行う通信手段とを有し、
前記設定情報記憶手段は、前記通信モジュールの交換に基づいて前記管理サーバに設定される設定情報を記憶し、
前記モジュール交換制御手段は、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定し、
前記管理サーバは、
前記設定情報を、前記情報処理装置と前記通信モジュールとを管理する管理情報として記憶する管理情報記憶手段と、
前記通信手段によって送信された前記設定情報を受信し、受信した前記設定情報を前記管理情報として前記管理情報記憶手段に記憶させ、前記通信モジュールに対して前記応答を送信する更新手段とを有することを特徴とする管理システム。
【請求項７】
コンピュータに、交換可能な通信モジュールを管理する処理を実行させる管理プログラムにおいて、
前記コンピュータを、
前記通信モジュールが有するフラグ記憶手段に記憶されている、前記通信モジュールの設定と、前記通信モジュールの設定の不実行とのうちのいずれか一方を示すフラグをチェックして、前記フラグが前記通信モジュールの設定を示す場合には、前記通信モジュールが有する、前記コンピュータと前記通信モジュールとを管理する管理サーバと通信を行う通信手段に、前記管理サーバに対して、前記通信モジュールの交換に基づいて前記管理サーバに設定される設定情報を記憶する設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定するモジュール交換制御手段として機能させることを特徴とする管理プログラム。
【請求項８】
情報処理装置が有する交換可能な通信モジュールを管理する管理方法において、
前記通信モジュールが有するフラグ記憶手段に記憶されている、前記通信モジュールの設定と、前記通信モジュールの設定の不実行とのうちのいずれか一方を示すフラグをチェックし、
前記フラグが前記通信モジュールの設定を示す場合には、前記通信モジュールが有する、前記情報処理装置と前記通信モジュールとを管理する管理サーバと通信を行う通信手段に、前記管理サーバに対して、前記通信モジュールの交換に基づいて前記管理サーバに設定される設定情報を記憶する設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定することを特徴とする管理方法。
【発明の詳細な説明】
【技術分野】
【０００１】
本件は、情報処理装置、管理システム、管理プログラムおよび管理方法に関する。
【背景技術】
【０００２】
従来、無線または有線の電話回線を使用して管理下にある通信機器等を集中管理する構成のシステムであって、電話番号が割り当てられている通信機器を用いるものがある。このような通信機器を交換する保守作業を行う場合に、管理している電話番号を交換後の通信機器の電話番号で更新する作業が含まれる場合がある。通信機器の電話番号の更新の設定に関して、以下の技術が知られている。
【先行技術文献】
【特許文献】
【０００３】
【特許文献１】特開２００７−１２４６８９号公報
【特許文献２】特開２００６−１８０３９５号公報
【発明の概要】
【発明が解決しようとする課題】
【０００４】
情報処理装置に内蔵されている通信モジュールにおいて、セキュリティ等の観点から、情報処理装置の固有情報と通信モジュールの電話番号とが紐付けられて管理されている場合等には、通信モジュールの交換時に、これらの記憶されている情報の更新について、管理サーバ等に正しく設定する必要がある。
【０００５】
この場合、一般的にはこれらの作業は手作業で行われる。具体的には、作業者が通信機器の新しい電話番号を目視またはバーコードによる読み取りを行い、これに基づいて管理サーバに再設定される。しかし、電話番号が正しく設定されない場合は、目的とする装置の固有情報および電話番号が一致せず、正しく運用できなくなってしまう。
【０００６】
ここで、このような交換作業時には、工場からの出荷段階のように検査段階のチェックでミスを検出することができない。特に、作業場から離れて現地で作業が行われる場合には、作業者のみ依存していることになるため、作業者自身が目視等で管理を行う場合、交換作業の際に、情報の読み取りミスや、そもそも読み取らずに作業を終了してしまうという人為的なミスが発生する場合があるという問題点がある。
【０００７】
本件はこのような点に鑑みてなされたものであり、通信モジュールの交換時において、管理サーバに対する情報の設定の人為的なミスを削減する情報処理装置、管理システム、管理プログラムおよび管理方法を提供することを目的とする。
【課題を解決するための手段】
【０００８】
開示の情報処理装置は、交換可能な通信モジュールを有し、前記通信モジュールは、前記通信モジュールの設定と、前記通信モジュールの設定の不実行とのうちのいずれか一方を示すフラグを記憶するフラグ記憶手段と、前記情報処理装置と前記通信モジュールとを管理する管理サーバと通信を行う通信手段とを有し、前記通信モジュールの交換に基づいて前記管理サーバに設定される設定情報を記憶する設定情報記憶手段と、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定するモジュール交換制御手段とを有する。
【発明の効果】
【０００９】
開示の情報処理装置、管理システム、管理プログラムおよび管理方法によれば、通信モジュールの交換時に、識別情報の送信が自動的に行われる。これにより、識別情報の設定時のミスを削減することが可能になる。
【図面の簡単な説明】
【００１０】
【図１】本実施の形態を示す図である。
【図２】本実施の形態のシステム構成を示す図である。
【図３】情報処理装置のハードウェア構成を示す図である。
【図４】本実施の形態のシステムにおける情報処理装置のロックおよびＨＤＤデータの消去の動作を示す図である。
【図５】情報処理装置の構成を示すブロック図である。
【図６】管理テーブルの構成例を示す図である。
【図７】本実施の形態のフラグ確認処理の手順を示すフローチャートである。
【図８】本実施の形態のモジュール設定処理の手順を示すフローチャートである。
【図９】本実施の形態のモジュール設定処理の手順を示すフローチャートである。
【図１０】本実施の形態のモジュール設定処理の手順を示すフローチャートである。
【図１１】本実施の形態の交換された通信モジュールの設定時の手順を示すシーケンス図である。
【図１２】本実施の形態の交換された通信モジュールの設定時の手順を示すシーケンス図である。
【図１３】本実施の形態の交換された通信モジュールの設定時の手順を示すシーケンス図である。
【図１４】エラーメッセージ表示画面を示す図である。
【図１５】エラーメッセージ表示画面を示す図である。
【図１６】エラーメッセージ表示画面を示す図である。
【図１７】本実施の形態の変形例におけるフラグ確認処理の手順を示すフローチャートである。
【図１８】本実施の形態の変形例における交換された通信モジュールの設定時の手順を示すシーケンス図である。
【図１９】本実施の形態の変形例における交換された通信モジュールの設定時の手順を示すシーケンス図である。
【図２０】本実施の形態の変形例における交換された通信モジュールの設定時の手順を示すシーケンス図である。
【発明を実施するための形態】
【００１１】
以下、実施の形態について、図面を参照して説明する。
図１は、本実施の形態の概要を示す図である。図１に示す情報処理装置１は、フラグに応じて起動し、または設定情報を管理サーバ２に送信する。
【００１２】
情報処理装置１は、モジュール交換制御手段１ａ、通信モジュール１ｂ、設定情報記憶手段１ｃ、アンテナ１ｄを有する。また、通信モジュール１ｂは、フラグ記憶手段１ｂ１、通信手段１ｂ２を有する。また、情報処理装置１は、通信回線により管理サーバ２と接続可能である。管理サーバ２は、更新手段２ａ、管理情報記憶手段２ｃ、アンテナ２ｄを有する。
【００１３】
モジュール交換制御手段１ａは、フラグ記憶手段１ｂ１に記憶されているフラグをチェックする。ここで、モジュール交換制御手段１ａは、フラグが通信モジュール１ｂの設定を示す場合には、通信手段１ｂ２に管理サーバ２に対して設定情報記憶手段１ｃに記憶されている設定情報を送信させる。
【００１４】
また、モジュール交換制御手段１ａは、通信手段１ｂ２によって設定情報の送信に対して管理サーバ２から送信された応答が受信された場合、応答に基づいて、フラグ記憶手段１ｂ１に記憶されているフラグに通信モジュール１ｂの設定の不実行を設定する。これにより、通信モジュール１ｂの交換に基づいて設定情報が管理サーバ２に送信されていれば、フラグに通信モジュール１ｂの設定を行わない旨が設定される。これに基づいて、フラグが通信モジュール１ｂの設定の不実行を示す場合には、管理サーバ２に対する設定情報の送信が行われない。
【００１５】
通信モジュール１ｂは、管理サーバ２との通信を行うモジュールであり、故障等の不具合が発生した場合には、例えば保守作業者等による交換が可能である。
フラグ記憶手段１ｂ１は、通信モジュール１ｂの設定と、情報処理装置１の起動許可とのうちのいずれか一方を示すフラグを記憶する。フラグは、初期状態では通信モジュール１ｂの設定を示すものとする。このフラグにより、情報処理装置１が有する通信モジュール１ｂの交換時の設定情報の送信が行われているか否かが示される。
【００１６】
通信手段１ｂ２は、情報処理装置１と通信モジュール１ｂとを管理する管理サーバ２と通信を行う。この管理サーバ２と通信手段１ｂ２との通信により、設定情報および設定情報に対する応答が送信される。また、通信手段１ｂ２は、アンテナ１ｄと接続されている。このアンテナ１ｄにより、通信モジュール１ｂと管理サーバ２との間で通信が行われる。
【００１７】
設定情報記憶手段１ｃは、通信モジュール１ｂの交換に基づいて管理サーバ２に設定される設定情報を記憶する。設定情報は、例えば、情報処理装置１または通信モジュール１ｂを特定可能な情報である。また、設定情報に、通信モジュール１ｂに対して通信に使用するために割り当てられた電話番号を用いてもよい。
【００１８】
なお、設定情報記憶手段１ｃは、情報処理装置１側に設けられているが、これに限らず、通信モジュール１ｂの内部に設けられていてもよく、情報処理装置１と通信モジュール１ｂとの両方に設けられていてもよい。
【００１９】
管理情報記憶手段２ｃは、情報処理装置１から送信された設定情報を、情報処理装置１と通信モジュール１ｂとを管理する管理情報として記憶する。
更新手段２ａは、通信手段１ｂ２によって送信された設定情報を受信し、受信した設定情報を管理情報として管理情報記憶手段２ｃに記憶させ、通信モジュール１ｂに対して応答を送信する。更新手段２ａは、アンテナ２ｄと接続されている。このアンテナ２ｄにより、管理サーバ２と通信モジュール１ｂとの間で通信が行われる。
【００２０】
このような情報処理装置１によれば、フラグ記憶手段１ｂ１により、通信モジュール１ｂの設定と、情報処理装置１の起動許可とのうちのいずれか一方を示すフラグが記憶される。通信手段１ｂ２により、情報処理装置１と通信モジュール１ｂとを管理する管理サーバ２との通信が行われる。設定情報記憶手段１ｃにより、通信モジュール１ｂの交換に基づいて管理サーバ２に設定される設定情報が記憶される。モジュール交換制御手段１ａにより、フラグ記憶手段１ｂ１に記憶されているフラグがチェックされ、フラグが通信モジュール１ｂの設定を示す場合には、通信手段１ｂ２により、管理サーバ２に対して設定情報記憶手段１ｃに記憶されている設定情報が送信され、通信手段１ｂ２によって受信された、設定情報の送信に対して管理サーバ２から送信された応答に基づいて、フラグ記憶手段１ｂ１に記憶されているフラグに通信モジュール１ｂの設定の不実行が設定される。
【００２１】
これによって、通信モジュール１ｂの交換時に、管理サーバ２に対する識別情報の送信が自動的に行われる。これにより、通信モジュール１ｂの交換時の手間が削減されると共に、管理サーバへの識別情報の設定における人為的なミスを削減することが可能になる。
【００２２】
以下、本実施の形態について図面を参照して詳細に説明する。
図２は、本実施の形態のシステム構成を示す図である。図２に示す本実施の形態のシステムは、情報処理装置１００が有する管理用通信モジュール１０７（図３において後述）により、情報処理装置１００を管理サーバ２００で管理するシステムである。
【００２３】
本実施の形態に係るシステムは、情報処理装置１００、管理サーバ２００、ベンダサーバ３００を有する。
情報処理装置１００は、ユーザ１００ａが管理する情報処理装置である。情報処理装置１００は、モバイル（mobile）通信機能を有する通信インタフェース１０６（図３において後述）が設けられているノートタイプ（ラップトップタイプ：laptop type）のパーソナルコンピュータ（Personal Computer）である。また、情報処理装置１００は、詳しくは後述するが、通信インタフェース１０６とは別に、情報処理装置１００を管理する管理サーバ２００と接続する管理用通信モジュール１０７を有する。
【００２４】
管理サーバ２００は、情報処理装置１００および情報処理装置１００が有する管理用通信モジュール１０７を管理する管理サーバである。本実施の形態の管理システムでは、管理用通信モジュール１０７と電話番号とが１対１で対応するように割り当てられている。管理サーバ２００および管理用通信モジュール１０７は、ＷＷＡＮ（Wireless Wide Area Network）４０で通信するときには、この管理用通信モジュール１０７に割り当てられた電話番号を用いて情報処理装置１００と接続を行う。
【００２５】
本実施の形態の情報処理装置１００は、モバイル通信が可能であるため、移動中や外出先で使用される機会が多い。このため、情報処理装置１００は、紛失や盗難の可能性が比較的高く、情報の漏えいのリスクが高いと考えられる。このモバイル通信可能な情報処理装置１００による情報の漏えいを防止するために、本実施の形態の管理システムでは、情報処理装置１００のユーザ１００ａによる依頼に応じて、管理コマンドによって情報処理装置１００を管理する機能を有する。
【００２６】
本実施の形態の管理システムでは、詳しくは図４において後述するが、例えば、情報処理装置１００が紛失された場合等に、情報処理装置１００をロックしたり、記憶されているデータを消去したりする等、ＷＷＡＮ４０および管理用通信モジュール１０７を用いて通信を行うことにより、情報処理装置１００を管理する。
【００２７】
情報処理装置に内蔵されている通信機器において、セキュリティ等の観点から情報処理装置の固有情報と通信機器の電話番号とを紐付けて管理する必要がある場合には、通信機器の保守交換時には管理サーバに対して保守交換後の情報を正しく設定する必要がある。これを怠った場合は目的とする装置の号機と電話番号が一致せず正しく運用ができなくなる。
【００２８】
通信機器の交換作業を行う保守作業者自身が目視等で管理を行う場合、交換作業の際に情報の読み取りミスや、そもそも読み取らずに作業を終了してしまうという人為的なミスが発生していた。
【００２９】
工場からの出荷の場合は検査段階のチェックでそれらを検出することができるが、交換時においては、特に現地での作業となる場合は作業者に依存しているため、それらを見逃してしまう場合もあった。
【００３０】
本実施の形態では、管理サーバ２００は、予め情報処理装置１００の出荷時に、情報処理装置１００のシリアルナンバと、情報処理装置１００に取り付けられている管理用通信モジュール１０７の電話番号とを対応付けて管理情報（図６において後述）に設定しておく。
【００３１】
本実施の形態では、管理用通信モジュール１０７が正常に機能している通常時には、管理サーバ２００が、ＷＷＡＮ４０を介して管理用通信モジュール１０７による通信を行うことにより、情報処理装置１００を管理する。このとき管理サーバ２００は、ロック・消去コマンド等の情報処理装置１００を管理する管理コマンドを情報処理装置１００に送信する。この管理コマンドを受信した情報処理装置１００は、管理コマンドに基づく処理を実行し、処理の実行の結果を示す応答を管理サーバ２００に送信する。
【００３２】
また、管理用通信モジュール１０７の交換時には、本実施の形態の情報処理装置１００は、管理用通信モジュール１０７の交換が行われた旨を通知するモジュール交換コマンドを、交換された新たな管理用通信モジュール１０７の電話番号および情報処理装置１００のシリアルナンバと共に管理サーバ２００に送信する。このモジュール交換コマンド等を受信した管理サーバ２００は、モジュール交換コマンドと共に受信した新たな管理用通信モジュール１０７に設定された電話番号を管理テーブル２５１ａ（図６において後述）に設定する。
【００３３】
また、管理サーバ２００は、インターネット５０を介してベンダサーバ３００に、管理用通信モジュール１０７と交換されて取り外され、使用が中止される管理用通信モジュールの電話番号を、廃棄する電話番号として通知する。これに基づいて、ベンダサーバ３００は、通知された電話番号の管理用通信モジュールの使用が停止されたものとして、通知された電話番号を廃棄する。
【００３４】
なお、本実施の形態では、情報処理装置１００がノートタイプのパーソナルコンピュータである場合について説明している。しかし、これに限らず、情報処理装置１００は情報処理装置の一例であり、本実施の形態の管理システムは、携帯電話やＰＤＡ（Personal Digital Assistant）を初めとする移動通信用端末装置等のように、モバイル通信機能を有する情報処理装置に適用することができる。
【００３５】
図３は、情報処理装置のハードウェア構成を示す図である。図３に示す情報処理装置１００は、前述のようにノートタイプのパーソナルコンピュータであり、ＣＰＵ（Central Processing Unit）１０１によって装置全体が制御されている。ＣＰＵ１０１には、バス１０９を介してメモリ１０２、ハードディスクドライブ（ＨＤＤ:Hard Disk Drive）１０３、グラフィック処理装置１０４、入力インタフェース１０５、通信インタフェース１０６、管理用通信モジュール１０７、電源制御部１０８が接続されている。
【００３６】
メモリ１０２は、記憶装置であり、ＲＡＭ（Random Access Memory）、およびＲＯＭ（Read Only Memory）を有する。ＲＡＭには、ＣＰＵ１０１に実行させるＯＳ（Operating System：オペレーティングシステム）のプログラムやアプリケーションプログラムの少なくとも一部が一時的に記憶される。また、ＲＡＭには、ＣＰＵ１０１による処理に必要な各種データが格納される。ＲＯＭには、ＣＰＵ１０１による処理に必要な各種データやプログラム等が記憶される。また、ＲＯＭの一部には書き換え可能なフラッシュＲＯＭが用いられる。フラッシュＲＯＭには、ＢＩＯＳ（Basic Input/Output System）、管理用通信モジュール１０７の識別情報（ＰＳＩＤ：Personal Station ID）等が記憶されている。
【００３７】
ＨＤＤ１０３には、ＯＳやアプリケーションプログラム、情報処理装置１００のシリアルナンバが記憶されている。また、ＨＤＤ１０３には、情報処理装置１００を使用する企業等で使用されるデータ等が暗号化して記憶されている。
【００３８】
グラフィック処理装置１０４には、モニタ１１が接続されている。グラフィック処理装置１０４は、ＣＰＵ１０１からの命令に従って、画像をモニタ１１の画面に表示させる。入力インタフェース１０５には、キーボード１２とマウス１３とが接続されている。
【００３９】
入力インタフェース１０５は、キーボード１２やマウス１３から送られてくる信号を、バス１０９を介してＣＰＵ１０１に送信する。
通信インタフェース１０６は、モバイル機能を有しており、図示しないＷＷＡＮ等のネットワークに接続可能である。通信インタフェース１０６は、ネットワークを介して、他のコンピュータとの間でデータの送受信を行うことができる。
【００４０】
管理用通信モジュール１０７は、管理サーバ２００（図２において前述）との間で情報処理装置１００および管理用通信モジュール１０７を管理するための通信を行う通信モジュールであり、無線通信によってＷＷＡＮ４０等の通信回線に接続可能である。管理用通信モジュール１０７は、ＷＷＡＮ４０を介して、管理サーバ２００との間で通信を行うことにより、管理コマンドを受信して管理サーバ２００による管理を受ける。また、管理用通信モジュール１０７は交換可能であり、詳しくは後述するように管理用通信モジュール１０７に故障等の不具合が発生した場合には、保守作業者等によって新たな管理用通信モジュール１０７と交換される。この保守作業者による管理用通信モジュール１０７の交換と、本実施の形態の情報処理装置１００による処理とにより、管理サーバ２００による情報処理装置１００の管理機能が維持される。
【００４１】
また、管理用通信モジュール１０７は、図示しないフラッシュＲＯＭを有する。このフラッシュＲＯＭには、起動許可フラグ、情報処理装置１００のシリアルナンバ、管理用通信モジュール１０７に割り当てられた電話番号等が記憶されている。
【００４２】
なお、本実施の形態の管理用通信モジュール１０７は、無線通信によって管理サーバ２００と通信可能であるが、これに限らず、ＬＡＮ（Local Area Network）やＷＡＮ（Wide Area Network）等により有線で管理サーバ２００と接続して通信を行ってもよい。
【００４３】
電源制御部１０８は、図示しないＡＣアダプタや図示しないバッテリを電源として情報処理装置１００の各部に電力を供給すると共に、供給される電力を制御する。
なお、本実施の形態のメモリ１０２および管理用通信モジュール１０７は、フラッシュＲＯＭを有するが、これに限らず、他の書き換え可能な記憶装置を用いてもよい。
【００４４】
ここで、情報処理装置１００は、通常のデータの送受信を行う通信インタフェース１０６および管理サーバ２００と管理用の通信のみを行う管理用通信モジュール１０７の両方を有する。しかし、情報処理装置１００は、これに限らず、管理用通信モジュール１０７のみを有し、管理サーバ２００との間の管理用の通信と共に通常のデータの送受信の通信にも管理用通信モジュール１０７を用いてもよい。
【００４５】
また、図２において前述した管理サーバ２００、ベンダサーバ３００も、情報処理装置１００と同様のハードウェア構成によって実現可能である。また、管理サーバ２００、ベンダサーバ３００では、管理用通信モジュール１０７は省略してもよい。
【００４６】
また、ＨＤＤ１０３に記憶されている使用者のデータは、暗号化されていてもよい。また、情報処理装置１００のログイン時にもユーザ認証が行われてもよい。
以上のようなハードウェア構成によって、本実施の形態の処理機能を実現することができる。
【００４７】
図４は、本実施の形態のシステムにおける情報処理装置のロックおよびＨＤＤデータの消去の動作を示す図である。図４に示す管理システムは、本実施の形態の管理用通信モジュール１０７を使用して、ユーザ１００ａの依頼に応じて遠隔操作で情報処理装置１００をロックする機能、およびＨＤＤ１０３に記憶されている情報処理装置１００のデータを消去する機能を有する。これにより、この管理システムを導入した企業等の組織の秘密情報の漏えいを防止することができる。
【００４８】
ユーザ１００ａは、情報処理装置１００を紛失し、または情報処理装置１００が盗難された場合、図４の（１）に示すように管理サーバ２００に対して情報処理装置１００の使用が不可能になるロックを依頼するロック依頼、または情報処理装置１００に記憶されているデータの消去を依頼する消去依頼を行う。
【００４９】
このユーザ１００ａは、例えば、情報処理装置１００を使用する企業におけるセキュリティ管理者等が該当する。ユーザ１００ａは、その企業において情報処理装置１００を実際に使用する使用者（図示省略）からの連絡等により、情報処理装置１００が紛失または盗難にあった場合に、上記のロック依頼または消去依頼を行う。
【００５０】
ここで、このロック依頼および消去依頼は、図示しないインターネット等により情報処理装置１００とは異なる情報処理装置を用いて管理サーバ２００にログオンし、対象となる情報処理装置１００のロックまたは消去を選択して依頼する。なお、ロック依頼および消去依頼は、これに限らず、電話、ＦＡＸ（facsimile）、郵送等のその他の手段を用いて行ってもよい。
【００５１】
管理サーバ２００は、ユーザ１００ａによるロック依頼を受け付けた場合、図４の（２）に示すように、ロックコマンドを、ＷＷＡＮ４０を介して情報処理装置１００が有する管理用通信モジュール１０７に送信する。管理サーバ２００は、同様に、ユーザ１００ａによる消去依頼を受け付けた場合、消去コマンドを、ＷＷＡＮ４０を介して情報処理装置１００が有する管理用通信モジュール１０７に送信する。
【００５２】
ここで、管理サーバ２００は、Ｗｅｂサーバ機能を有している。管理サーバ２００は、Ｗｅｂ画面上でユーザ１００ａからのロック依頼、消去依頼を受け付けて情報処理装置１００にロックコマンドまたは消去コマンドを送信する。
【００５３】
また、管理サーバ２００は、ユーザ１００ａと情報処理装置１００の紐付けを行う管理情報（図６において後述）を記憶する管理情報記憶部２５１（図５において後述）を有する。管理サーバ２００は、これに基づいてロックコマンドまたは消去コマンドを受け付けたユーザ１００ａに対応する情報処理装置１００に対してコマンドを送信する。
【００５４】
管理用通信モジュール１０７は、管理サーバ２００から送信されたロックコマンドを受信した場合、図４の（３）に示すように、受信したロックコマンドを管理コマンド処理制御部１６１に送信する。管理用通信モジュール１０７は、同様に、管理サーバ２００から送信された消去コマンドを受信した場合、受信した消去コマンドを管理コマンド処理制御部１６１に送信する。
【００５５】
管理コマンド処理制御部１６１は、管理用通信モジュール１０７から送信されたロックコマンドを受信した場合、図４の（４）に示すように、ＨＤＤ１０３に記憶されているユーザ１００ａの管理の下に使用者等が使用していたデータを消去する。また、管理コマンド処理制御部１６１は、管理用通信モジュール１０７から送信された消去コマンドを受信した場合、図４の（５）に示すように、情報処理装置１００をロックして使用不可能にする。
【００５６】
管理コマンド処理制御部１６１は、これらの機能により、情報処理装置１００に記憶されていたユーザ１００ａの情報の漏えいを防止することができる。また、管理コマンド処理制御部１６１は、これらの処理が完了すると、図４の（６）に示すように、管理用通信モジュール１０７に完了通知を送信する。
【００５７】
管理用通信モジュール１０７は、管理コマンド処理制御部１６１から送信された完了通知に基づいて、図４の（７）に示すように、ＷＷＡＮ４０を介して管理サーバ２００に情報処理装置１００のロックおよびデータの消去の結果を示す結果レポートを送信する。
【００５８】
管理サーバ２００は、情報処理装置１００が有する管理用通信モジュール１０７によって送信された結果レポートを受信すると、図４の（８）に示すように、ユーザ１００ａに対して情報処理装置１００のロックおよびデータの消去の結果を報告する結果報告を電子メール等で送信する。これにより、ユーザ１００ａは、情報処理装置１００のロックおよびデータ消去の結果を確認することができる。
【００５９】
ここで、このように遠隔操作でロックや消去が可能な情報処理装置１００からデータを盗用しようと企む者が、管理用通信モジュール１０７を不正に無効化したり、不正に交換したりすることにより、情報処理装置１００のロックおよびデータの消去を実行させないことを図る可能性がある。
【００６０】
これに対して本実施の形態では、詳しくは後述するが、このような管理用通信モジュール１０７に対する不正な工作を検出するために、さらに、情報処理装置１００の起動時に管理用通信モジュール１０７の電話番号および情報処理装置１００のシリアルナンバ等の識別情報をチェックする機能を有する。
【００６１】
また、情報処理装置１００が有する管理用通信モジュール１０７が故障した場合等に、管理用通信モジュール１０７を交換する必要が生じたとする。このとき、単に管理用通信モジュール１０７を交換するのみでは、管理サーバ２００に設定されている管理情報の電話番号、シリアルナンバ等と実際に割り当てられている情報との間で相違が起こる。これにより、ロックコマンドや消去コマンドを送信しても情報処理装置１００で正常に受信されず、ロックや消去が正しく実行されないことになる。
【００６２】
また、管理作業者が手作業で電話番号やシリアルナンバを読み取って管理システムに設定するとすれば、手間も煩雑であると共に、設定ミスの原因となる可能性がある。
また、管理サーバ２００内の情報は、情報処理装置１００を使用する企業等の秘密情報等が含まれる場合があるため、セキュリティ確保の観点から保守作業者による管理サーバ２００に記憶される情報に対する接触は、なるべく禁止することが望ましい。
【００６３】
以上の理由から、本実施の形態の管理システムでは、情報処理装置１００が有する管理用通信モジュール１０７の交換が行われていた場合には、シリアルナンバ、電話番号等の紐付けを示す管理情報を更新するための通信が行われる。この通信は、情報処理装置１００の起動時に管理用通信モジュール１０７の交換の有無がチェックされた結果、管理用通信モジュール１０７の交換が検出された場合に行われる。
【００６４】
本実施の形態では、以下に説明する管理用通信モジュール１０７の交換時の処理により、保守作業者による管理用通信モジュール１０７の交換時には、管理用通信モジュール１０７の情報処理装置１００に対する取り付け作業以降は自動的に処理が進んで管理情報が更新されると共に、ロック機能およびデータの消去機能の動作を、管理用通信モジュール１０７の不正な交換等によって阻害することによる情報の漏えいを防止する。
【００６５】
図５は、情報処理装置の構成を示すブロック図である。図５に示す情報処理装置１００は、起動許可フラグに応じて情報処理装置１００を起動し、または管理用通信モジュール１０７の電話番号および情報処理装置１００のシリアルナンバを管理サーバ２００に送信する。
【００６６】
情報処理装置１００は、管理用通信モジュール１０７、電源制御部１０８、モジュール交換制御部１１１、起動制御部１１２、本体側識別情報記憶部１５１、アンテナ１９０を有する。また、情報処理装置１００は、ＷＷＡＮ４０により管理サーバ２００と接続可能である。
【００６７】
管理サーバ２００は、更新部２１１、通知部２１２、管理情報記憶部２５１、アンテナ２９０を有する。管理用通信モジュール１０７は、フラグ記憶部１０７ａ、モジュール側識別情報記憶部１０７ｂ、通信部１０７ｃを有する。管理サーバ２００は、インターネット５０（図２において前述）によりベンダサーバ３００と接続可能である。
【００６８】
管理用通信モジュール１０７は、管理サーバ２００との通信を行うモジュールであり、故障等の不具合が発生した場合には、例えば保守作業者等による交換が可能である。管理用通信モジュール１０７は、識別情報を記憶するモジュール側識別情報記憶部１０７ｂを有する。
【００６９】
フラグ記憶部１０７ａは、管理用通信モジュール１０７の設定と、情報処理装置１００の起動許可とのうちのいずれか一方を示す起動許可フラグを記憶する。起動許可フラグは、初期状態では管理用通信モジュール１０７の設定を示すものとする。後述するように、その後、モジュール交換制御部１１１により、起動許可フラグの設定が、情報処理装置１００の起動許可に変更される。
【００７０】
起動許可フラグが管理用通信モジュール１０７の設定を示す場合には、管理用通信モジュール１０７の初期設定が行われると共に、モジュール交換制御部１１１により管理サーバ２００に対して管理用通信モジュール１０７の電話番号および情報処理装置１００のシリアルナンバが送信される。
【００７１】
起動許可フラグが情報処理装置１００の起動許可を示す場合には、管理用通信モジュール１０７の初期設定、ならびにモジュール交換制御部１１１による管理サーバ２００に対する管理用通信モジュール１０７の電話番号および情報処理装置１００のシリアルナンバの送信は行われず、起動制御部１１２により情報処理装置１００が起動される。
【００７２】
この起動許可フラグにより、情報処理装置１００が有する管理用通信モジュール１０７の交換時の管理用通信モジュール１０７の電話番号や情報処理装置１００のシリアルナンバ等の送信が行われているか否かが示される。
【００７３】
モジュール側識別情報記憶部１０７ｂは、管理用通信モジュール１０７の交換に基づいて管理サーバ２００に設定される管理用通信モジュール１０７の識別情報を記憶する。モジュール側識別情報記憶部１０７ｂに記憶されている識別情報は、例えば、管理用通信モジュール１０７を特定可能なＰＳＩＤ等の情報や、管理用通信モジュール１０７に対して通信に使用するために割り当てられた電話番号である。
【００７４】
通信部１０７ｃは、情報処理装置１００と管理用通信モジュール１０７とを管理する管理サーバ２００と通信を行う。この管理サーバ２００と管理用通信モジュール１０７との通信により、管理用通信モジュール１０７の電話番号や情報処理装置１００のシリアルナンバ等および管理サーバ２００からの応答が送信される。また、通信部１０７ｃは、アンテナ１９０と接続されている。このアンテナ１９０により、管理用通信モジュール１０７と管理サーバ２００との間で通信が行われる。また、通信部１０７ｃは、管理サーバ２００から送信されたロックコマンド、消去コマンド等の管理コマンドを受信する。
【００７５】
電源制御部１０８は、情報処理装置１００の電源がオフの場合にも管理用通信モジュール１０７に電力を供給する。この電源制御部１０８による電力の常時供給により、管理用通信モジュール１０７は、常に管理サーバ２００からの管理コマンドを受信することができる。この管理コマンドの受信に基づいて、管理用通信モジュール１０７は、情報処理装置１００を起動し、受信した管理コマンドに基づく動作（ロックまたはデータの消去等）をすることができる。これにより、情報処理装置１００は、記憶している使用者の情報の漏えいを防止することができる。
【００７６】
モジュール交換制御部１１１は、起動制御部１１２が情報処理装置１００の起動を開始した際に、フラグ記憶部１０７ａに記憶されている起動許可フラグをチェックする。ここで、モジュール交換制御部１１１は、起動許可フラグが管理用通信モジュール１０７の設定を示す場合には、通信部１０７ｃに管理サーバ２００に対して本体側識別情報記憶部１５１に記憶されている情報処理装置１００のシリアルナンバを送信させる。
【００７７】
また、モジュール交換制御部１１１は、通信部１０７ｃによって、管理用通信モジュール１０７の電話番号や情報処理装置１００のシリアルナンバ等の送信に対して管理サーバ２００から送信された応答が受信されたか否かについて判定する。モジュール交換制御部１１１は、応答が受信された場合、フラグ記憶部１０７ａに記憶されている起動許可フラグに情報処理装置１００の起動許可を設定する。これにより、管理用通信モジュール１０７の交換に基づいて管理用通信モジュール１０７の電話番号や情報処理装置１００のシリアルナンバ等が管理サーバ２００に送信され、管理サーバ２００で受信されていれば、起動許可フラグに情報処理装置１００の起動許可が設定される。これに基づいて情報処理装置１００が起動する。
【００７８】
モジュール交換制御部１１１は、管理用通信モジュール１０７の電話番号等が送信されるときに、モジュール側識別情報記憶部１０７ｂに記憶されている識別情報を本体側識別情報記憶部１５１に書き込む。
【００７９】
そして、モジュール交換制御部１１１は、起動制御部１１２によって情報処理装置１００の起動が開始される場合または管理サーバ２００から送信された応答が受信された場合には、モジュール側識別情報記憶部１０７ｂに記憶されている管理用通信モジュール１０７の識別情報を読み出すと共に本体側識別情報記憶部１５１に記憶されている管理用通信モジュール１０７の識別情報を読み出し、モジュール側識別情報記憶部１０７ｂから読み出した管理用通信モジュール１０７の識別情報と本体側識別情報記憶部１５１から読み出した管理用通信モジュール１０７の識別情報とを比較して一致するか否かを判定する。
【００８０】
起動制御部１１２は、使用者の操作による起動の指示、モジュール交換制御部１１１による制御に基づいて、情報処理装置１００の起動および電源のＯＦＦを制御する。ここで、起動制御部１１２は、モジュール交換制御部１１１による判定の結果、シリアルナンバや電話番号等が送信されてから所定時間が経過した後においても、通信部１０７ｃにより応答が受信されていない場合には、情報処理装置１００の起動を中止する。また、起動制御部１１２は、モジュール交換制御部１１１による判定の結果、本体側識別情報記憶部１５１に記憶されていた管理用通信モジュール１０７の識別情報およびモジュール側識別情報記憶部１０７ｂに記憶されていた管理用通信モジュール１０７の識別情報が一致しない場合には、情報処理装置１００の起動を中止する。
【００８１】
本体側識別情報記憶部１５１は、管理用通信モジュール１０７の交換に基づいて管理サーバ２００に設定される識別情報を記憶する。本体側識別情報記憶部１５１に記憶されている識別情報は、例えば、情報処理装置１００に対して一意に割り当てられており、情報処理装置１００を特定可能なシリアルナンバである。また、本体側識別情報記憶部１５１は、管理用通信モジュール１０７の不正な交換を検出するために、管理用通信モジュール１０７を特定可能な識別情報（例えば、ＰＳＩＤ等）を、管理用通信モジュール１０７の交換時に取得して記憶する。
【００８２】
本体側識別情報記憶部１５１は、情報処理装置１００側に設けられている記憶部である。本体側識別情報記憶部１５１には、情報処理装置１００を特定可能なシリアルナンバが記憶されている。また、本体側識別情報記憶部１５１には、管理用通信モジュール１０７を特定可能な識別情報が、管理用通信モジュール１０７から読み出されて記憶されている。この管理用通信モジュール１０７の識別情報により、情報処理装置１００の起動時に、管理用通信モジュール１０７の正当性がチェックされ、管理用通信モジュール１０７の不正な交換が検出される。
【００８３】
管理コマンド処理制御部１６１（図４において前述）は、通信部１０７ｃによってロックコマンドが受信された場合、ロックコマンドに基づいて起動制御部１１２による情報処理装置１００の起動を禁止すると共に情報処理装置１００の使用を不可能にする処理を実行する。
【００８４】
ＨＤＤ１０３（図３において前述）は、情報処理装置１００で処理されるデータを記憶する。管理コマンド処理制御部１６１は、通信部１０７ｃによって受信された管理コマンドに基づいてＨＤＤ１０３に記憶されている情報処理装置１００の使用者のデータを消去する処理を実行する。
【００８５】
更新部２１１は、通信部１０７ｃによって送信された管理用通信モジュール１０７の電話番号や情報処理装置１００のシリアルナンバ等を受信し、受信した管理用通信モジュール１０７の電話番号や情報処理装置１００のシリアルナンバ等を管理情報として管理情報記憶部２５１に記憶させ、管理用通信モジュール１０７に対して応答を送信する。更新部２１１は、アンテナ２９０と接続されている。このアンテナ２９０により、管理サーバ２００と管理用通信モジュール１０７との間で通信が行われる。
【００８６】
通知部２１２は、インターネット５０を介して、交換により情報処理装置１００から取り外された管理用通信モジュールの電話番号を、廃棄する電話番号として通知する。ベンダサーバ３００では、これに基づいて、通知された電話番号を廃棄する。廃棄された電話番号は、例えば新たな管理用通信モジュール等の他の機器に割り当てられて再使用される。
【００８７】
管理情報記憶部２５１は、情報処理装置１００から送信された管理用通信モジュール１０７の識別情報および電話番号、情報処理装置１００のシリアルナンバを、情報処理装置１００と管理用通信モジュール１０７とを対応付けて管理する管理情報（図６において後述）として記憶する。
【００８８】
ここで、本体側識別情報記憶部１５１は、本体側識別情報記憶手段の一例である。モジュール側識別情報記憶部１０７ｂは、モジュール側識別情報記憶手段の一例である。また、本体側識別情報記憶部１５１、モジュール側識別情報記憶部１０７ｂは、設定情報記憶手段の一例でもある。管理用通信モジュール１０７の識別情報、電話番号、情報処理装置１００のシリアルナンバは、設定情報の一例である。管理用通信モジュール１０７は、通信モジュールの一例である。
【００８９】
また、フラグ記憶部１０７ａは、フラグ記憶手段の一例であり、起動許可フラグは、フラグの一例である。管理用通信モジュール１０７の設定は、通信モジュールの設定の一例である。情報処理装置１００の起動許可は、情報処理装置の起動許可の一例である。また、情報処理装置１００の起動許可は、通信モジュールの設定の不実行の一例でもある。
【００９０】
なお、本実施の形態では、情報処理装置１００のロックまたはデータの消去を行う管理システムの例に基づいて説明したが、これに限らず、通信モジュールを管理用通信モジュール１０７の電話番号や情報処理装置１００のシリアルナンバ等の情報で管理する他の管理システムに適用することができる。
【００９１】
次に、本実施の形態で使用されるデータのデータ構造例について説明する。
図６は、管理テーブルの構成例を示す図である。図６に示す管理テーブル２５１ａは、管理サーバ２００（図２において前述）で作成および管理され、管理情報記憶部２５１（図５において前述）に記憶されている。管理テーブル２５１ａは、情報処理装置１００、管理用通信モジュール１０７を管理するために紐付ける管理情報を記憶するテーブルである。
【００９２】
管理テーブル２５１ａには、項目として“シリアルナンバ”、“電話番号”、“ユーザＩＤ”が設けられている。管理テーブル２５１ａでは、各項目の横方向に並べられた情報同士が管理情報として互いに関連付けられている。
【００９３】
シリアルナンバは、情報処理装置１００に対して割り当てられたシリアルナンバを示す。このシリアルナンバは、情報処理装置１００のメモリ１０２（図３において前述）および管理用通信モジュール１０７に記憶されている。このシリアルナンバにより、情報処理装置１００を一意に特定可能である。
【００９４】
電話番号は、管理用通信モジュール１０７に割り当てられている電話番号を示す。本実施の形態の管理用通信モジュール１０７および管理サーバ２００は、この電話番号でＷＷＡＮ通信を行う。これにより本実施の形態の管理システムによる管理用通信モジュール１０７の管理が行われる。
【００９５】
本実施の形態では、電話番号は各管理用通信モジュール１０７に対して固有に設定されている。これにより、この電話番号により管理用通信モジュール１０７を一意に特定可能である。また、情報処理装置１００が有する管理用通信モジュール１０７が交換されると、交換後は管理サーバ２００と交換後の新たな管理用通信モジュール１０７との間で、新たな管理用通信モジュール１０７に割り当てられている電話番号を使用して通信が行われる。
【００９６】
ユーザＩＤは、情報処理装置１００を使用する企業において情報処理装置１００を管理するユーザ１００ａに対して一意に割り当てられている符号である。情報処理装置１００をロックまたはデータ消去しようとするユーザ１００ａは、このユーザＩＤにより、パスワード（図示省略）等を用いた認証を経て管理サーバ２００にログインして、ロック依頼または消去依頼を行う。
【００９７】
本実施の形態の管理サーバ２００では、ユーザ１００ａによるロック依頼または消去依頼を受け付けると、管理情報を用いて、受け付けたユーザ１００ａのユーザＩＤに紐付けられている電話番号により管理用通信モジュール１０７と通信を行い、ロックコマンドまたは消去コマンドを送信する。
【００９８】
また、管理サーバ２００では、管理用通信モジュール１０７の交換時においてモジュール交換コマンド（図８において後述）と共に情報処理装置１００から送信される情報処理装置１００のシリアルナンバを受信すると、管理情報で、管理用通信モジュール１０７との交換により情報処理装置１００から取り外された、受信したシリアルナンバに紐付けられている交換前の管理用通信モジュールの電話番号を、モジュール交換コマンドと共に受信した交換後の新たな管理用通信モジュール１０７の電話番号で更新する。また、図２において前述したように、管理サーバ２００は、交換前の管理用通信モジュールの電話番号をベンダサーバ３００に通知して廃棄させる。
【００９９】
次に、本実施の形態で実行される処理について説明する。
図７は、本実施の形態のフラグ確認処理の手順を示すフローチャートである。図７に示すフラグ確認処理は、情報処理装置１００（図２において前述）が、起動時に管理用通信モジュール１０７（図３において前述）をチェックすると共に、交換時には管理用通信モジュール１０７の設定を行う処理である。本実施の形態のフラグ確認処理のプログラムは、ＢＩＯＳに含まれており、情報処理装置１００の起動時におけるＢＩＯＳの実行に基づいて開始される。
【０１００】
［ステップＳ１１］モジュール交換制御部１１１（図５において前述）は、管理用通信モジュール１０７が有するフラグ記憶部１０７ａ（図５において前述）に記憶されている起動許可フラグを読み出して、起動許可フラグに許可が設定されているか否かを判定する。起動許可フラグに許可が設定されていれば、処理はステップＳ１３に進められる。一方、起動許可フラグに許可が設定されていなければ、処理はステップＳ１２に進められる。
【０１０１】
［ステップＳ１２］モジュール交換制御部１１１は、モジュール設定処理（図８から図１０において後述）を実行する。
［ステップＳ１３］モジュール交換制御部１１１は、管理用通信モジュール１０７のモジュール側識別情報記憶部１０７ｂに記憶されている管理用通信モジュール１０７の識別情報を取得し、本体側識別情報記憶部１５１（図５において前述）に記憶されている管理用通信モジュール１０７の識別情報と比較して、両者が一致するか否かを確認する。
【０１０２】
［ステップＳ１４］モジュール交換制御部１１１は、ステップＳ１３で比較した識別情報の確認結果が一致したか否かについて判定する。確認結果が一致であれば、処理はステップＳ１５に進められる。一方、確認結果が一致でなければ、処理はステップＳ１６に進められる。
【０１０３】
［ステップＳ１５］起動制御部１１２（図５において前述）は、ＯＳを起動する。その後、処理は終了する。このように、比較した管理用通信モジュール１０７の識別情報が一致した場合には、情報処理装置１００は正常に起動される。
【０１０４】
［ステップＳ１６］起動制御部１１２は、情報処理装置１００の電源をＯＦＦにする。その後、処理は終了する。
このように、比較した管理用通信モジュール１０７の識別情報が一致しない場合には、情報処理装置１００の起動が中止される。これにより、例えば管理用通信モジュール１０７を不正に交換した場合には情報処理装置１００を操作することができないため、情報の漏えいを防止することができる。
【０１０５】
図８から図１０は、本実施の形態のモジュール設定処理の手順を示すフローチャートである。図８から図１０に示すモジュール設定処理は、情報処理装置１００（図２において前述）が管理用通信モジュール１０７（図３において前述）の設定を行う処理であり、図７において前述したフラグ確認処理のステップＳ１１で呼び出されて実行される。
【０１０６】
［ステップＳ２１］モジュール交換制御部１１１（図５において前述）は、管理用通信モジュール１０７のワイヤレススイッチがＯＮであるか否かを判定する。ワイヤレススイッチがＯＮであれば、処理はステップＳ２３に進められる。一方、ワイヤレススイッチがＯＦＦであれば、処理はステップＳ２２に進められる。
【０１０７】
［ステップＳ２２］モジュール交換制御部１１１は、モニタ１１（図３において前述）に、ワイヤレススイッチがＯＦＦである旨のエラーメッセージを有するエラーメッセージ表示画面１８１（図１４において後述）を表示させる。
【０１０８】
［ステップＳ２３］モジュール交換制御部１１１は、管理用通信モジュール１０７でモバイル通信が可能な通信圏内であるか否かを判定する。通信圏内であれば、処理はステップＳ２５に進められる。一方、通信圏内でなければ、処理はステップＳ２４に進められる。この通信圏内であるか否かの判定は、実際にＷＷＡＮ４０（図２において前述）で管理用通信モジュール１０７により通信が可能であるかにより判定することができる。
【０１０９】
［ステップＳ２４］モジュール交換制御部１１１は、モニタ１１に、管理用通信モジュール１０７の通信圏外である旨のエラーメッセージを有するエラーメッセージ表示画面１８２（図１５において後述）を表示させる。
【０１１０】
［ステップＳ２５］モジュール交換制御部１１１は、本体側識別情報記憶部１５１に記憶されている情報処理装置１００のシリアルナンバおよびモジュール側識別情報記憶部１０７ｂに記憶されている管理用通信モジュール１０７に割り当てられている電話番号を取得し、取得したシリアルナンバおよび電話番号を、管理用通信モジュール１０７によりＷＷＡＮ４０を用いてモジュール交換コマンドと共に管理サーバ２００に送信する。次に、モジュール交換制御部１１１は、モジュール交換コマンドを管理サーバ２００に送信してから経過した時間を計測するためにタイマをセットする。その後、処理はステップＳ３１（図９）に進められる。
【０１１１】
［ステップＳ３１］モジュール交換制御部１１１は、ステップＳ２５でセットしたタイマを参照してモジュール交換コマンドが管理サーバ２００に送信されてから経過した時間を取得し、モジュール交換コマンドが送信されてから所定時間（例えば、３分）が経過したか否かを判定する。所定時間が経過していれば、処理はステップＳ４１（図１０）に進められる。一方、所定時間が経過していなければ、処理はステップＳ３２に進められる。
【０１１２】
［ステップＳ３２］モジュール交換制御部１１１は、管理サーバ２００から送信された、電話番号、シリアルナンバ、モジュール交換コマンドに対する応答を受信したか否かを判定する。応答を受信していれば、処理はステップＳ３３に進められる。一方、応答を受信していなければ、処理はステップＳ３４に進められる。
【０１１３】
［ステップＳ３３］モジュール交換制御部１１１は、交換された新たな管理用通信モジュール１０７に対して、情報処理装置１００において使用されるための初期設定を行うと共に、初期設定が完了した場合には、管理用通信モジュール１０７が有するフラグ記憶部１０７ａ（図５において前述）に記憶されている起動許可フラグに許可を設定するように指示する。
【０１１４】
［ステップＳ３４］モジュール交換制御部１１１は、フラグ記憶部１０７ａに記憶されている起動許可フラグに許可が設定されているか否かを判定する。起動許可フラグに許可が設定されていれば、処理はステップＳ３５に進められる。一方、起動許可フラグに許可が設定されていなければ、処理はステップＳ３１に進められる。
【０１１５】
［ステップＳ３５］モジュール交換制御部１１１は、管理用通信モジュール１０７の識別情報を、モジュール側識別情報記憶部１０７ｂから読み出して取得する。
［ステップＳ３６］モジュール交換制御部１１１は、ステップＳ３５で取得した管理用通信モジュール１０７の識別情報を、本体側識別情報記憶部１５１に記憶させる。その後、処理は復帰する。
【０１１６】
［ステップＳ４１］モジュール交換制御部１１１は、モニタ１１に、管理用通信モジュール１０７の設定に失敗した旨のエラーメッセージを有するエラーメッセージ表示画面１８３（図１６において後述）を表示させる。
【０１１７】
［ステップＳ４２］起動制御部１１２は、情報処理装置１００の電源をＯＦＦにするための処理を実行する。その後、処理は終了する。
図１１から図１３は、本実施の形態の交換された通信モジュールの設定時の手順を示すシーケンス図である。
【０１１８】
以下に、本実施の形態における情報処理装置１００、管理サーバ２００、ベンダサーバ３００の間における管理用通信モジュール１０７（図３において前述）の交換時の手順を図に従って説明する。
【０１１９】
［ステップＳ１１１］ユーザ１００ａ（図２において前述）の操作に基づいて、情報処理装置１００の起動制御部１１２（図５において前述）は、情報処理装置１００の電源をＯＮにする。
【０１２０】
［ステップＳ１１２］情報処理装置１００のモジュール交換制御部１１１（図５において前述）は、ＢＩＯＳのプログラムの１つであるフラグ確認処理（図７において前述）の実行を開始する。
【０１２１】
［ステップＳ１１３］モジュール交換制御部１１１は、モジュール設定処理（図８から図１０において前述）の実行を開始する。
［ステップＳ１１４］モジュール交換制御部１１１は、情報処理装置１００のシリアルナンバおよび管理用通信モジュール１０７の電話番号と共に、モジュール交換コマンドを管理サーバ２００に送信する。
【０１２２】
［ステップＳ１１５］管理サーバ２００の更新部２１１（図５において前述）は、管理情報において、受信したシリアルナンバと対応する電話番号を更新する。
［ステップＳ１２１］更新部２１１は、ステップＳ１１５の電話番号の更新が完了した場合、電話番号、シリアルナンバ、モジュール交換コマンドに対する応答を情報処理装置１００の管理用通信モジュール１０７に送信する。ここで、管理サーバ２００による管理用通信モジュール１０７の設定が正常に行われていない場合には、応答は送信されない。
【０１２３】
［ステップＳ１２２］モジュール交換制御部１１１は、管理用通信モジュール１０７に対して起動許可フラグに許可を設定するように指示する。
［ステップＳ１２３］モジュール交換制御部１１１は、管理用通信モジュール１０７の識別情報を取得する。
【０１２４】
［ステップＳ１２４］モジュール交換制御部１１１は、ステップＳ１２３で取得した管理用通信モジュール１０７の識別情報を本体側識別情報記憶部１５１に記憶させる。
［ステップＳ１２５］起動制御部１１２は、情報処理装置１００のＯＳを起動する。
【０１２５】
［ステップＳ１３１］管理サーバ２００の通知部２１２（図５において前述）は、管理用通信モジュール１０７との交換により情報処理装置１００から取り外された管理用通信モジュールの電話番号として管理情報（図６において前述）に設定されていた、更新された旧電話番号をベンダサーバ３００に送信する。
【０１２６】
［ステップＳ１３２］ベンダサーバ３００は、受信した管理用通信モジュール１０７と交換された管理用通信モジュールの旧電話番号を廃棄する。
次に、本実施の形態で表示される表示画面について説明する。
【０１２７】
図１４から図１６は、エラーメッセージ表示画面を示す図である。図１４から図１６に示すエラーメッセージ表示画面１８１，１８２，１８３は、情報処理装置１００（図３において前述）のモニタ１１（図３において前述）に表示される画面であり、情報処理装置１００が有する管理用通信モジュール１０７（図３において前述）の交換時においてエラーメッセージを表示するエラーメッセージ表示画面の一例である。
【０１２８】
図１４に示すエラーメッセージ表示画面１８１は、管理用通信モジュール１０７においてワイヤレス通信が行われない場合に設定される、ワイヤレススイッチがＯＦＦの状態であることを、ユーザ１００ａ、情報処理装置１００の使用者、保守作業を行う保守作業者等に通知するエラーメッセージ表示画面であり、エラーメッセージ表示領域１８１ａを有する。また、エラーメッセージ表示領域１８１ａは、ＯＫボタン１８１ａ１を有する。
【０１２９】
エラーメッセージ表示領域１８１ａは、ワイヤレススイッチがＯＦＦに設定されていることを通知するエラーメッセージを保守作業者等に対して表示する領域である。エラーメッセージ表示領域１８１ａにより、保守作業者等は、ワイヤレススイッチがＯＦＦに設定されているために、管理用通信モジュール１０７の交換時の設定を行う処理が実行できないことを知ることができる。保守作業者等は、これに基づいて、ワイヤレススイッチをＯＮに設定した後、情報処理装置１００の再起動を行うことにより、情報処理装置１００において管理用通信モジュール１０７の交換時の設定を行う処理が実行される。
【０１３０】
ＯＫボタン１８１ａ１は、エラーメッセージ表示領域１８１ａのエラーメッセージを確認した後、エラーメッセージ表示画面１８１の表示を終了するボタンである。ユーザは、エラーメッセージ表示画面１８１を見た後、例えばマウス１３（図３において前述）等でＯＫボタン１８１ａ１を操作することにより、エラーメッセージ表示画面１８１の表示を終了させることができる。
【０１３１】
図１５に示すエラーメッセージ表示画面１８２は、管理用通信モジュール１０７でワイヤレス通信を行うことができない通信圏外であることを保守作業者等に通知するエラーメッセージ表示画面であり、エラーメッセージ表示領域１８２ａを有する。また、エラーメッセージ表示領域１８２ａは、ＯＫボタン１８２ａ１を有する。
【０１３２】
エラーメッセージ表示領域１８２ａは、管理用通信モジュール１０７によるＷＷＡＮ４０の通信圏外であることを通知するエラーメッセージを保守作業者等に対して表示する領域である。エラーメッセージ表示領域１８２ａにより、保守作業者等は、通信圏外であるために、管理用通信モジュール１０７の交換時の設定を行う処理が実行できないことを知ることができる。保守作業者等は、これに基づいて、通信圏内に移動した後、情報処理装置１００の再起動を行うことにより、情報処理装置１００において管理用通信モジュール１０７の交換時の設定を行う処理が実行される。
【０１３３】
ＯＫボタン１８２ａ１は、エラーメッセージ表示領域１８２ａのエラーメッセージを確認した後、エラーメッセージ表示画面１８２の表示を終了するボタンである。ユーザは、エラーメッセージ表示画面１８２を見た後、例えばマウス１３等でＯＫボタン１８２ａ１を操作することにより、エラーメッセージ表示画面１８２の表示を終了させることができる。
【０１３４】
図１６に示すエラーメッセージ表示画面１８３は、管理サーバ２００（図２において前述）において、管理用通信モジュール１０７の交換に基づく管理情報の更新に失敗したことを保守作業者等に通知するエラーメッセージ表示画面であり、エラーメッセージ表示領域１８３ａを有する。また、エラーメッセージ表示領域１８３ａは、ＯＫボタン１８３ａ１を有する。
【０１３５】
エラーメッセージ表示領域１８３ａは、管理用通信モジュール１０７の交換による、情報処理装置１００のシリアルナンバに対応する管理用通信モジュール１０７の電話番号についての管理サーバ２００の管理情報の更新の失敗を通知するエラーメッセージを保守作業者等に対して表示する領域である。エラーメッセージ表示領域１８３ａにより、保守作業者等は、管理用通信モジュール１０７の交換時の設定を行う処理が正常に完了しなかったことを知ることができる。保守作業者等は、これに基づいて、交換により取り付けた管理用通信モジュール１０７のチェックを行って、取り付け作業が正しく行われたか確認したり、さらに別の正しく動作する管理用通信モジュール１０７を取り付けたりした後、再起動することにより、情報処理装置１００において管理用通信モジュール１０７の交換時の設定を行う処理が実行される。また、情報処理装置１００を使用する使用者等がこの設定の失敗のエラーメッセージを見ることにより、管理用通信モジュール１０７の不正な交換が行われたことを認識することができる。
【０１３６】
ＯＫボタン１８３ａ１は、エラーメッセージ表示領域１８３ａのエラーメッセージを確認した後、エラーメッセージ表示画面１８３の表示を終了するボタンである。ユーザは、エラーメッセージ表示画面１８３を見た後、例えばマウス１３等でＯＫボタン１８３ａ１を操作することにより、エラーメッセージ表示画面１８３の表示を終了させることができる。
【０１３７】
以上のように、本実施の形態によれば、起動許可フラグをチェックして、起動許可フラグが管理用通信モジュール１０７の設定を示す場合には、管理サーバ２００に設定される管理用通信モジュール１０７の電話番号および情報処理装置１００のシリアルナンバをモジュール交換コマンドと共に送信し、起動許可フラグの設定を情報処理装置１００の起動許可に変更する。これにより、情報処理装置１００が起動された場合に、管理用通信モジュール１０７が交換されていたときには、管理サーバ２００に設定される管理用通信モジュール１０７の電話番号および情報処理装置１００のシリアルナンバの送信が自動的に行われる。一方、情報処理装置１００が起動された場合に、管理用通信モジュール１０７が交換されていないときには、情報処理装置１００は、電話番号等の送信を行わずに、通常通り起動する。
【０１３８】
また、起動許可フラグが管理用通信モジュール１０７の設定を示す場合には、管理用通信モジュール１０７の電話番号および情報処理装置１００のシリアルナンバが管理サーバ２００に送信される。これに基づいて、管理サーバ２００に情報処理装置１００と交換後の管理用通信モジュール１０７との対応関係が自動的に設定される。一方、この対応関係が設定された後は、起動許可フラグに情報処理装置１００の起動許可が設定される。これに基づいて、以後は、情報処理装置１００の電源がＯＮにされると、情報処理装置１００が起動する。これにより情報処理装置１００の使用者は、管理用通信モジュール１０７の設定後は情報処理装置１００を通常通り使用することができる。
【０１３９】
また、管理サーバ２００による設定が正常に行われておらず、管理サーバ２００からの応答を受信していない場合には、情報処理装置１００の起動が中止されるので、情報処理装置１００からの情報の漏えいを防止することができる。
【０１４０】
また、情報処理装置１００の起動時に、本体側識別情報記憶部１５１（図５において前述）に記憶されている管理用通信モジュール１０７の識別情報と、モジュール側識別情報記憶部１０７ｂ（図５において前述）に記憶されている管理用通信モジュール１０７の識別情報とを比較し、一致しない場合には起動を中止するので、例えば、他の同一の機能を有する情報処理装置に取り付けられていた管理用通信モジュールと入れ替えるような、不正な交換を検出することができる。
【０１４１】
また、管理用通信モジュール１０７に、情報処理装置１００の電源がＯＦＦの場合にも電力が供給されているので、ユーザ１００ａがロック依頼またはデータの消去依頼を行った場合、すみやかに、かつ、そのとき情報処理装置１００の電源がＯＦＦであってもロックまたはデータの消去が行われるので、情報の漏えいを防止することができる。
【０１４２】
（本実施の形態の変形例）
次に、本実施の形態の変形例について説明する。上記の本実施の形態との相違点を中心に説明し、同様の事項については同一の符号を用いると共に説明を省略する。
【０１４３】
本実施の形態の変形例は、管理用通信モジュール１０７の交換時に実行されるフラグ確認処理およびモジュール設定処理が、情報処理装置１００のＯＳ上で動作するアプリケーションである点で、本実施の形態と異なる。
【０１４４】
図１７は、本実施の形態の変形例におけるフラグ確認処理の手順を示すフローチャートである。図１７に示すフラグ確認処理は、情報処理装置１００（図２において前述）が、ＯＳの動作中に管理用通信モジュール１０７（図３において前述）をチェックすると共に、交換時には管理用通信モジュール１０７の設定を行う処理である。本実施の形態のフラグ確認処理のプログラムは、情報処理装置１００のＯＳ上で動作するアプリケーションであり、情報処理装置１００のＯＳの起動後に、管理用通信モジュール１０７の交換後に自動的な、または保守作業者等の手動による、フラグ確認処理の実行に基づいて開始される。また、本実施の形態の変形例では、情報処理装置１００の起動後、後述するステップＳ５５が実行されるまで、情報処理装置１００は操作が受け付けられない。これにより、使用者は識別情報の一致が確認されるまで使用することができない。
【０１４５】
［ステップＳ５１］モジュール交換制御部１１１（図５において前述）は、管理用通信モジュール１０７が有するフラグ記憶部１０７ａ（図５において前述）に記憶されている起動許可フラグを読み出して、起動許可フラグに許可が設定されているか否かを判定する。起動許可フラグに許可が設定されていれば、処理はステップＳ５３に進められる。一方、起動許可フラグに許可が設定されていなければ、処理はステップＳ５２に進められる。
【０１４６】
［ステップＳ５２］モジュール交換制御部１１１は、モジュール設定処理を実行する。本実施の形態の変形例のモジュール設定処理は、図８から図１０において前述したものと同一であるため、説明を省略する。
【０１４７】
［ステップＳ５３］モジュール交換制御部１１１は、管理用通信モジュール１０７のモジュール側識別情報記憶部１０７ｂ（図５において前述）に記憶されている管理用通信モジュール１０７の識別情報を取得し、本体側識別情報記憶部１５１（図５において前述）に記憶されている管理用通信モジュール１０７の識別情報と比較して、両者が一致するか否かを確認する。
【０１４８】
［ステップＳ５４］モジュール交換制御部１１１は、ステップＳ５３で比較した識別情報の確認結果が一致したか否かについて判定する。確認結果が一致であれば、処理はステップＳ５５に進められる。一方、確認結果が一致でなければ、処理はステップＳ５６に進められる。
【０１４９】
［ステップＳ５５］起動制御部１１２（図５において前述）は、情報処理装置１００の使用者による操作を可能にする。その後、処理は終了する。このように、比較した管理用通信モジュール１０７の識別情報が一致した場合には、使用者は情報処理装置１００を使用可能になる。
【０１５０】
［ステップＳ５６］起動制御部１１２は、情報処理装置１００の電源をＯＦＦにする。その後、処理は終了する。このように、比較した管理用通信モジュール１０７の識別情報が一致しない場合には、情報処理装置１００の電源がＯＦＦにされる。これにより、例えば管理用通信モジュール１０７を不正に交換した場合には情報処理装置１００を操作することができないため、情報の漏えいを防止することができる。
【０１５１】
図１８から図２０は、本実施の形態の変形例における交換された通信モジュールの設定時の手順を示すシーケンス図である。
以下に、本実施の形態の変形例における情報処理装置１００、管理サーバ２００、ベンダサーバ３００の間における管理用通信モジュール１０７（図３において前述）の交換時の手順を図に従って説明する。
【０１５２】
［ステップＳ２１１］ユーザ１００ａ（図２において前述）の操作に基づいて、情報処理装置１００の起動制御部１１２（図５において前述）は、情報処理装置１００のＯＳを起動する。
【０１５３】
［ステップＳ２１２］情報処理装置１００のモジュール交換制御部１１１（図５において前述）は、情報処理装置１００のＯＳ上で起動するアプリケーションプログラムの１つであるフラグ確認処理（図１７において前述）の実行を開始する。
【０１５４】
［ステップＳ２１３］モジュール交換制御部１１１は、モジュール設定処理（図８から図１０において前述）の実行を開始する。
［ステップＳ２１４］モジュール交換制御部１１１は、情報処理装置１００のシリアルナンバおよび管理用通信モジュール１０７の電話番号と共に、モジュール交換コマンドを管理サーバ２００に送信する。
【０１５５】
［ステップＳ２１５］管理サーバ２００の更新部２１１（図５において前述）は、管理情報において、受信したシリアルナンバと対応する電話番号を更新する。
［ステップＳ２２１］更新部２１１は、ステップＳ２１５の電話番号の更新が完了した場合、電話番号、シリアルナンバ、モジュール交換コマンドに対する応答を情報処理装置１００の管理用通信モジュール１０７に送信する。ここで、管理サーバ２００による管理用通信モジュール１０７の設定が正常に行われていない場合には、応答は送信されない。
【０１５６】
［ステップＳ２２２］モジュール交換制御部１１１は、管理用通信モジュール１０７に対して起動許可フラグに許可を設定するように指示する。
［ステップＳ２２３］モジュール交換制御部１１１は、管理用通信モジュール１０７の識別情報を取得する。
【０１５７】
［ステップＳ２２４］モジュール交換制御部１１１は、ステップＳ２２３で取得した管理用通信モジュール１０７の識別情報を本体側識別情報記憶部１５１に記憶させる。
［ステップＳ２２５］起動制御部１１２は、フラグ確認処理のアプリケーションプログラムを終了し、使用者による情報処理装置１００の使用が可能になる。
【０１５８】
［ステップＳ２３１］管理サーバ２００の通知部２１２（図５において前述）は、管理用通信モジュール１０７との交換により情報処理装置１００から取り外された管理用通信モジュールの電話番号として管理情報（図６において前述）に設定されていた、更新された旧電話番号をベンダサーバ３００に送信する。
【０１５９】
［ステップＳ２３２］ベンダサーバ３００は、受信した管理用通信モジュール１０７と交換された管理用通信モジュールの旧電話番号を廃棄する。
以上のように、本実施の形態の変形例によれば、ＯＳ上で起動するアプリケーションにより、本実施の形態と同様の効果を奏することができる。
【０１６０】
なお、上記の処理機能は、コンピュータによって実現することができる。その場合、情報処理装置１００が有すべき機能の処理内容を記述したプログラムが提供される。そのプログラムをコンピュータで実行することにより、上記処理機能がコンピュータ上で実現される。
【０１６１】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記録媒体には、ＭＯ（Magneto - Optical disk）等がある。
【０１６２】
上記プログラムを流通させる場合には、例えば、そのプログラムが記録されたＤＶＤ、ＣＤ−ＲＯＭ等の可搬型記録媒体が販売される。また、プログラムをサーバコンピュータに記憶しておき、ネットワークを通じて、サーバコンピュータから他のコンピュータにそのプログラムを転送することもできる。
【０１６３】
上記プログラムを実行するコンピュータは、例えば、可搬型記録媒体に記録されたプログラムまたはサーバコンピュータから転送されたプログラムを、自己の記憶装置に記憶する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１６４】
以上、開示の情報処理装置、管理システム、管理プログラムおよび管理方法を、図示の実施の形態に基づいて説明したが、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。
【０１６５】
上記については単に本発明の原理を示すものである。さらに、多数の変形、変更が当業者にとって可能であり、開示の技術は上記に示し、説明した正確な構成および応用例に限定されるものではなく、対応するすべての変形例および均等物は、添付の請求項およびその均等物による本発明の範囲とみなされる。
【０１６６】
（付記１）  交換可能な通信モジュールを有する情報処理装置において、
前記通信モジュールは、
前記通信モジュールの設定と、前記通信モジュールの設定の不実行とのうちのいずれか一方を示すフラグを記憶するフラグ記憶手段と、
前記情報処理装置と前記通信モジュールとを管理する管理サーバと通信を行う通信手段とを有し、
前記通信モジュールの交換に基づいて前記管理サーバに設定される設定情報を記憶する設定情報記憶手段と、
前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定するモジュール交換制御手段とを有することを特徴とする情報処理装置。
【０１６７】
（付記２）  前記情報処理装置の起動を制御する起動制御手段を有し、
前記フラグ記憶手段に記憶されている前記フラグは、前記通信モジュールの設定と、前記情報処理装置の起動許可とのうちのいずれか一方を示し、
前記モジュール交換制御手段は、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記情報処理装置の起動許可を設定し、一方、前記フラグが前記情報処理装置の起動許可を示す場合には、前記起動制御手段に前記情報処理装置の起動を行わせることを特徴とする付記１記載の情報処理装置。
【０１６８】
（付記３）  前記情報処理装置の起動を制御する起動制御手段を有し、
前記モジュール交換制御手段は、前記起動制御手段によって前記情報処理装置の起動が開始されたときに、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させることを特徴とする付記１記載の情報処理装置。
【０１６９】
（付記４）  前記モジュール交換制御手段は、前記通信手段によって前記応答が受信されたか否かを判定し、
前記起動制御手段は、前記モジュール交換制御手段による判定の結果、前記設定情報が送信されてから所定時間が経過した後に、前記通信手段によって前記応答が受信されていない場合には、前記情報処理装置の起動を中止することを特徴とする付記３記載の情報処理装置。
【０１７０】
（付記５）  前記フラグ記憶手段に記憶されている前記フラグは、初期状態では前記通信モジュールの設定を示すことを特徴とする付記１記載の情報処理装置。
（付記６）  前記通信モジュールは、前記通信モジュールを識別可能な識別情報を記憶するモジュール側識別情報記憶手段を有し、
前記情報処理装置側に、前記識別情報を記憶する本体側識別情報記憶手段を有し、
前記モジュール交換制御手段は、前記設定情報が送信される場合には、前記モジュール側識別情報記憶手段に記憶されている前記識別情報を前記本体側識別情報記憶手段に書き込み、前記起動制御手段によって前記情報処理装置の起動が開始される場合には、前記モジュール側識別情報記憶手段に記憶されている前記識別情報を読み出すと共に前記本体側識別情報記憶手段に記憶されている前記識別情報を読み出し、前記モジュール側識別情報記憶手段から読み出した前記識別情報と前記本体側識別情報記憶手段から読み出した前記識別情報とを比較して一致するか否かを判定し、
前記起動制御手段は、前記モジュール交換制御手段による判定の結果、前記モジュール側識別情報記憶手段から読み出した前記識別情報と前記本体側識別情報記憶手段から読み出した前記識別情報とが一致しない場合には、前記情報処理装置の起動を中止することを特徴とする付記２記載の情報処理装置。
【０１７１】
（付記７）  前記設定情報記憶手段に記憶されている前記設定情報は、前記情報処理装置を特定可能な識別情報を有することを特徴とする付記１記載の情報処理装置。
（付記８）  前記設定情報記憶手段に記憶されている前記設定情報は、前記通信モジュールを特定可能な識別情報を有することを特徴とする付記１記載の情報処理装置。
【０１７２】
（付記９）  前記設定情報記憶手段に記憶されている前記設定情報は、前記通信モジュールに割り当てられている電話番号を有することを特徴とする付記８記載の情報処理装置。
【０１７３】
（付記１０）  前記情報処理装置の起動を制御する起動制御手段と、
前記情報処理装置の電源がオフの場合にも前記通信モジュールに電力を供給する電源制御手段とを有し、
前記通信手段は、前記管理サーバから送信された管理コマンドを受信し、
前記通信手段によって受信された前記管理コマンドに基づいて前記起動制御手段による前記情報処理装置の起動を禁止する処理を実行する管理コマンド処理制御手段を有することを特徴とする付記１記載の情報処理装置。
【０１７４】
（付記１１）  前記情報処理装置の起動を制御する起動制御手段と、
前記情報処理装置の電源がオフの場合にも前記通信モジュールに電力を供給する電源制御手段とを有し、
前記通信手段は、前記管理サーバから送信された管理コマンドを受信し、
前記通信手段によって受信された前記管理コマンドに基づいて前記情報処理装置の使用を不可能にする処理を実行する管理コマンド処理制御手段を有することを特徴とする付記１記載の情報処理装置。
【０１７５】
（付記１２）  前記情報処理装置で処理されるデータを記憶するデータ記憶手段と、
前記情報処理装置電源がオフの場合にも前記通信モジュールに電力を供給する電源制御手段とを有し、
前記通信手段は、前記管理サーバから送信された管理コマンドを受信し、
前記通信手段によって受信された前記管理コマンドに基づいて前記データ記憶手段に記憶されている前記データを消去する処理を実行する管理コマンド処理制御手段を有することを特徴とする付記１記載の情報処理装置。
【０１７６】
（付記１３）  管理サーバによって、情報処理装置が有する交換可能な通信モジュールを管理する管理システムにおいて、
前記情報処理装置は、前記通信モジュールと、設定情報記憶手段と、モジュール交換制御手段とを有し、
前記通信モジュールは、
前記通信モジュールの設定と、前記通信モジュールの設定の不実行とのうちのいずれか一方を示すフラグを記憶するフラグ記憶手段と、
前記情報処理装置と前記通信モジュールとを管理する管理サーバと通信を行う通信手段とを有し、
前記設定情報記憶手段は、前記通信モジュールの交換に基づいて前記管理サーバに設定される設定情報を記憶し、
前記モジュール交換制御手段は、前記フラグ記憶手段に記憶されている前記フラグをチェックして、前記フラグが前記通信モジュールの設定を示す場合には、前記通信手段に前記管理サーバに対して前記設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定し、
前記管理サーバは、
前記設定情報を、前記情報処理装置と前記通信モジュールとを管理する管理情報として記憶する管理情報記憶手段と、
前記通信手段によって送信された前記設定情報を受信し、受信した前記設定情報を前記管理情報として前記管理情報記憶手段に記憶させ、前記通信モジュールに対して前記応答を送信する更新手段とを有することを特徴とする管理システム。
【０１７７】
（付記１４）  コンピュータに、交換可能な通信モジュールを管理する処理を実行させる管理プログラムにおいて、
前記コンピュータを、
前記通信モジュールが有するフラグ記憶手段に記憶されている、前記通信モジュールの設定と、前記通信モジュールの設定の不実行とのうちのいずれか一方を示すフラグをチェックして、前記フラグが前記通信モジュールの設定を示す場合には、前記通信モジュールが有する、前記コンピュータと前記通信モジュールとを管理する管理サーバと通信を行う通信手段に、前記管理サーバに対して、前記通信モジュールの交換に基づいて前記管理サーバに設定される設定情報を記憶する設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定するモジュール交換制御手段として機能させることを特徴とする管理プログラム。
【０１７８】
（付記１５）  情報処理装置が有する交換可能な通信モジュールを管理する管理方法において、
前記通信モジュールが有するフラグ記憶手段に記憶されている、前記通信モジュールの設定と、前記通信モジュールの設定の不実行とのうちのいずれか一方を示すフラグをチェックし、
前記フラグが前記通信モジュールの設定を示す場合には、前記通信モジュールが有する、前記情報処理装置と前記通信モジュールとを管理する管理サーバと通信を行う通信手段に、前記管理サーバに対して、前記通信モジュールの交換に基づいて前記管理サーバに設定される設定情報を記憶する設定情報記憶手段に記憶されている前記設定情報を送信させ、前記通信手段によって受信された、前記設定情報の送信に対して前記管理サーバから送信された応答に基づいて、前記フラグ記憶手段に記憶されている前記フラグに前記通信モジュールの設定の不実行を設定することを特徴とする管理方法。
【符号の説明】
【０１７９】
１  情報処理装置
１ａ  モジュール交換制御手段
１ｂ  通信モジュール
１ｂ１  フラグ記憶手段
１ｂ２  通信手段
１ｃ  設定情報記憶手段
１ｄ，２ｄ  アンテナ
２  管理サーバ
２ａ  更新手段
２ｃ  管理情報記憶手段
【図１】
2010258936.tif 000003
【図２】
2010258936.tif 000004
【図３】
2010258936.tif 000005
【図４】
2010258936.tif 000006
【図５】
2010258936.tif 000007
【図６】
2010258936.tif 000008
【図７】
2010258936.tif 000009
【図８】
2010258936.tif 000010
【図９】
2010258936.tif 000011
【図１０】
2010258936.tif 000012
【図１１】
2010258936.tif 000013
【図１２】
2010258936.tif 000014
【図１３】
2010258936.tif 000015
【図１４】
2010258936.tif 000016
【図１５】
2010258936.tif 000017
【図１６】
2010258936.tif 000018
【図１７】
2010258936.tif 000019
【図１８】
2010258936.tif 000020
【図１９】
2010258936.tif 000021
【図２０】
2010258936.tif 000022